(57)【要約】      （修正有）【課題】閲覧したい映像コンテンツを優れた操作性で選択できる装置、システム、方法及びプログラムを提供する。【解決手段】映像コンテンツ閲覧装置２００は、テレビセットにおける座標を指定するマウス３００と、映像コンテンツサーバ５００から映像コンテンツを取得する映像コンテンツ取得手段７２０と、映像コンテンツについてのメタデータを取得するメタデータ取得手段７３０と、取得した映像コンテンツのタイトル及びメタデータから選択した情報を含む識別情報を表示する選択候補リストを表示するリスト表示手段７４０と、マウス３００が選択候補リストにおいて表示される所定領域をマウスオーバーしたとき、特定された映像コンテンツのプレビュー映像を表示するプレビュー表示手段７５０と、この映像コンテンツのメタデータを表示するメタデータ表示手段７６０と、を備える。【選択図】図３
2016220177.tif 000002
【特許請求の範囲】
【請求項１】
映像コンテンツ格納手段に格納された複数の映像コンテンツから所望の映像コンテンツを画像表示手段に表示する映像コンテンツ閲覧装置であって、
前記画像表示手段の表示領域の座標を指定するポインティング手段と、
前記映像コンテンツ格納手段から指定した前記映像コンテンツを取得する映像コンテンツ取得手段と、
前記映像コンテンツ格納手段に格納された前記映像コンテンツについてのメタデータを取得するメタデータ取得手段と、
前記映像コンテンツ取得手段及び前記メタデータ取得手段が取得した前記映像コンテンツのタイトル及び前記メタデータから選択した識別情報を表示する選択候補リストを前記画像表示手段に表示するリスト表示手段と、
前記画像表示手段において前記ポインティング手段により前記選択候補リストの所定領域を指定したとき、当該所定領域で特定される前記映像コンテンツのプレビュー映像を前記画像表示手段に表示するプレビュー表示手段と、
前記ポインティング手段で選択された前記映像コンテンツの前記メタデータを前記画像表示手段に表示するメタデータ表示手段と、
を備えることを特徴とする映像コンテンツ閲覧装置。
【請求項２】
前記ポインティング手段は、マウスであり、前記所定領域の指定は前記マウスのカーソルを前記所定領域に配置するマウスオーバー動作で行うことを特徴とする請求項１に記載の映像コンテンツ閲覧装置。
【請求項３】
前記映像コンテンツ格納手段は、過去にテレビ放映された番組コンテンツを前記映像コンテンツとして格納していることを特徴とする請求項１又は請求項２に記載の映像コンテンツ閲覧装置。
【請求項４】
前記選択候補リストは、前記映像コンテンツのタイトル、タイムスタンプ、前記メタデータを含む情報からキーワード検索により抽出されることを特徴とする請求項１から請求項３までのいずれか一項に記載の映像コンテンツ閲覧装置。
【請求項５】
指定された前記映像コンテンツをリムーバブル記録媒体に記録する記録手段を備え、
前記選択候補リストにおいて前記ポインティング手段で選択した前記映像コンテンツを一つにまとめて前記記録手段に送出する編集手段を備えることを特徴とする請求項１から請求項４までのいずれか一項に記載の映像コンテンツ閲覧装置。
【請求項６】
請求項１から請求項５までのいずれかに記載の映像コンテンツ閲覧装置と、この映像コンテンツ閲覧装置に接続された前記画像表示手段と、前記映像コンテンツ格納手段と、前記メタデータを供給するメタデータ供給手段と、を備えることを特徴とする映像コンテンツ閲覧システム。
【請求項７】
映像コンテンツ格納手段に格納された複数の映像コンテンツから所望の映像コンテンツを画像表示手段に表示する映像コンテンツ閲覧方法であって、
前記映像コンテンツ格納手段から指定した映像コンテンツを取得するステップと、
前記映像コンテンツ格納手段に格納された映像コンテンツについてのメタデータを取得するステップと、
取得した映像コンテンツのタイトル及び前記メタデータから選択した識別情報が表示された選択候補リストを前記画像表示手段に表示するするステップと、
前記画像表示手段において前記選択候補リストにおいて表示される所定領域をマウスオーバー動作で指定するステップと、
当該所定領域によって特定される映像コンテンツのプレビュー映像を前記画像表示手段に表示するステップと、
選択された映像コンテンツの前記メタデータを前記画像表示手段に表示するステップと、
を備えることを特徴とする映像コンテンツ閲覧方法。
【請求項８】
映像コンテンツ格納手段に格納された複数の映像コンテンツから所望の映像コンテンツを画像表示手段に表示するに際して、
前記映像コンテンツ格納手段から指定した映像コンテンツを取得するステップと、
前記映像コンテンツ格納手段に格納された映像コンテンツについてのメタデータを取得するステップと、
取得した映像コンテンツのタイトル及び前記メタデータから選択した識別情報が表示された選択候補リストを前記画像表示手段に表示するするステップと、
前記画像表示手段において前記選択候補リストにおいて表示される所定領域をマウスオーバー動作で指定するステップと、
当該所定領域によって特定される映像コンテンツのプレビュー映像を前記画像表示手段に表示するステップと、
選択された映像コンテンツの前記メタデータを前記画像表示手段に表示するステップと、
をコンピュータに実行させるためのコンピュータプログラム。
【発明の詳細な説明】
【技術分野】
【０００１】
本発明は、プレビュー画面及びメタデータを簡単な操作で表示できる映像コンテンツ閲覧装置、映像コンテンツ閲覧方法及びコンピュータプログラムに関する。
【背景技術】
【０００２】
近年テレビ放送を受信するテレビ放送受信装置においては、記録手段の容量の増加により、複数の放送信号を同時に受信し、一定期間に放送される全ての番組（コンテンツ）を記録できる録画装置が提供されている。このような録画装置では一定期間に放送された多数の番組から再生したい番組（映像コンテンツ）を選び、再生することができる
【０００３】
特許文献１には、番組コンテンツと、この番組コンテンツのメタデータとを関連付けて記録媒体に記録し、再生する番組コンテンツを選択するときに、ディスプレイの画面に属性選択リストを表示し、この属性選択リストに基づいて選択された属性を有する番組コンテンツを前記記録媒体から抽出し番組選択リストとして表示し、更にこの番組選択リストに置かれたカーソルの番組コンテンツの動画像を動画ウインドーに重畳表示し、最終的に番組選択リストから選択された番組コンテンツをディスプレイの画面全体に再生する記録再生装置が記載されている。
【０００４】
また、特許文献２には、信号を選択的に受信可能な複数の受信手段と、受信手段で受信された信号に対して所定の信号処理を行う記録再生制御手段と、記録再生制御手段で処理された信号が記録される記録手段と、記録手段で処理された信号を表示可能に処理する表示処理手段と、を備え、記録再生制御手段は、記録手段に記録された複数の番組データを同時に表示させるように表示処理手段を制御するプレビュー再生手段を備える放送受信装置が記載されている。
【０００５】
【特許文献１】特開２００７−２７４５６１号公報
【特許文献２】特開２０１５−３９０４５号公報
【発明の開示】
【発明が解決しようとする課題】
【０００６】
しかし、従来の録画装置にあっては、録画された膨大な量の映像コンテンツから所望の映像コンテンツを選択することが難しいという問題がある。
【０００７】
即ち、特許文献１に記載の記録再生装置にあっては、コンテンツ選択に際して、画面に表示された番組選択リストに置かれたカーソルで指定された番組のプレビュー映像が重畳表示されるものであり、表示されるリストを指定するカーソルがリストに対応付けられ合成されて画面に表示されているため、カーソルはリスト内において順次移動させるだけであり、操作性に欠けるという問題がある。
【０００８】
また、特許文献２に記載の放送受信装置にあっては、画面には、同じ時間帯の複数の番組の複数のプレビュー表示するものであり、閲覧したい映像コンテンツを時間帯やチャンネルを自在に変更することや、キーワードにより映像コンテンツを抽出することができず、操作性に欠けるという問題がある。
【０００９】
本発明は上述した課題に鑑みてなされたものであり、閲覧したい映像コンテンツを選択するに際して、優れた操作性を備える映像コンテンツ閲覧装置、映像コンテンツ閲覧システム、及び映像コンテンツ閲覧方法を提供することを目的とする。
【課題を解決するための手段】
【００１０】
前記課題を解決する請求項１に記載の発明は、映像コンテンツ格納手段に格納された複数の映像コンテンツから所望の映像コンテンツを画像表示手段に表示する映像コンテンツ閲覧装置であって、前記画像表示手段の表示領域の座標を指定するポインティング手段と、前記映像コンテンツ格納手段から指定した前記映像コンテンツを取得する映像コンテンツ取得手段と、前記映像コンテンツ格納手段に格納された前記映像コンテンツについてのメタデータを取得するメタデータ取得手段と、前記映像コンテンツ取得手段及び前記メタデータ取得手段が取得した前記映像コンテンツのタイトル及び前記メタデータから選択した識別情報を表示する選択候補リストを前記画像表示手段に表示するリスト表示手段と、前記画像表示手段において前記ポインティング手段により前記選択候補リストの所定領域を指定したとき、当該所定領域で特定される前記映像コンテンツのプレビュー映像を前記画像表示手段に表示するプレビュー表示手段と、前記ポインティング手段で選択された前記映像コンテンツの前記メタデータを前記画像表示手段に表示するメタデータ表示手段と、を備えることを特徴とする映像コンテンツ閲覧装置である。
本発明に係る映像コンテンツ閲覧装置によれば、多数の映像コンテンツ候補を表示した選択候補リストの所定領域をポインティング手段で指定するだけで、映像コンテンツのプレビュー映像と、映像コンテンツのメタデータが表示される。このため、閲覧したい映像コンテンツを選択するに際して、ポインティング手段で選択候補リストを指定するだけでプレビュー映像とメタデータを表示でき、優れた操作性もって映像コンテンツの選択を行うことができる。
【００１１】
同じく請求項２に記載の発明は、請求項１に記載の映像コンテンツ閲覧装置において、前記ポインティング手段は、マウスであり、前記所定領域の指定は前記マウスのカーソルを前記識別情報表示領域に配置するマウスオーバー動作で行うことを特徴とする。
本発明によれば、マウスオーバー動作によってプレビュー映像とメタデータを表示させることができる。このため、極めて簡単な操作で映像コンテンツの選択を行うことができ、しかも選択はリストの記載順序に従う必要がなく、自由に移動できる。
【００１２】
同じく請求項３に記載の発明は、請求項１又は請求項２に記載の映像コンテンツ閲覧装置において、前記映像コンテンツ格納手段は、過去にテレビ放映された番組コンテンツを前記映像コンテンツとして格納していることを特徴とする。
本発明によれば、過去にテレビ放映された番組コンテンツを対象として映像コンテンツの閲覧を行うことができる。このため、視聴できなかった番組コンテンツの視聴を行うタイムシフト視聴に好適である。
【００１３】
同じく請求項４に記載の発明は、請求項１から請求項３までのいずれか一項に記載の映像コンテンツ閲覧装置において、前記選択候補リストは、映像コンテンツのタイトル、タイムスタンプ、前記メタデータを含む情報からキーワード検索により抽出されることを特徴とする。
本発明によれば、選択候補リストを映像コンテンツのタイトル、タイムスタンプ、前記メタデータを含む情報からキーワード検索して抽出する。このため、さまざまな情報から検索を行うことができ、検索漏れを防止できる。
【００１４】
同じく請求項５に記載の発明は、請求項１から請求項４までのいずれか一項に記載の映像コンテンツ閲覧装置において、指定された前記映像コンテンツをリムーバブル記録媒体に記録する記録手段を備え、前記選択候補リストにおいて前記ポインティング手段で選択した前記映像コンテンツを一つにまとめて前記記録手段に送出する編集手段を備えることを特徴とする。
本発明によれば、ポインティング手段で所望の映像コンテンツを指定して、この映像コンテンツを編集送出手段で編集して記録手段に送出してリムーバブル記録媒体に記録することができる。このため、映像コンテンツの編集及びリムーバブル記録媒体への記録を容易に行うことができる。
【００１５】
同じく請求項６に記載の発明は、請求項１から請求項５までのいずれかに記載の映像コンテンツ閲覧装置と、この映像コンテンツ閲覧装置に接続された前記画像表示手段と、前記映像コンテンツ格納手段と、前記メタデータを供給するメタデータ供給手段と、を備えることを特徴とする映像コンテンツ閲覧システムである。
本発明に係る映像コンテンツ閲覧システムによれば、映像コンテンツ格納手段から取得した多数の映像コンテンツ候補を表示した選択候補リストの識別情報表示領域をポインティング手段で指定するだけで、映像コンテンツのプレビュー映像と、メタデータ格納手段から取得した映像コンテンツのメタデータが表示される。このため、閲覧したい映像コンテンツを選択するに際して、ポインティング手段で選択候補リストを指定するだけでプレビュー映像とメタデータを表示でき、優れた操作性もって映像コンテンツの選択を行うことができる。
【００１６】
同じく請求項７に記載の発明は、映像コンテンツ格納手段に格納された複数の映像コンテンツから所望の映像コンテンツを画像表示手段に表示する映像コンテンツ閲覧方法であって、前記映像コンテンツ格納手段から指定した映像コンテンツを取得するステップと、前記映像コンテンツ格納手段に格納された映像コンテンツについてのメタデータを取得するステップと、取得した映像コンテンツのタイトル及び前記メタデータから選択した識別情報が表示された選択候補リストを前記画像表示手段に表示するするステップと、前記画像表示手段において前記選択候補リストにおいて表示される所定領域をマウスオーバー動作で指定するステップと、当該所定領域によって特定される映像コンテンツのプレビュー映像を前記画像表示手段に表示するステップと、選択された映像コンテンツの前記メタデータを前記画像表示手段に表示するステップと、を備えることを特徴とする映像コンテンツ閲覧方法である。
本発明に係る映像コンテンツ閲覧方法によれば、映像コンテンツ格納手段から取得した多数の映像コンテンツ候補を表示した選択候補リストの所定領域をポインティング手段で指定するだけで、映像コンテンツのプレビュー映像と、メタデータ格納手段から取得した映像コンテンツのメタデータが表示される。このため、閲覧したい映像コンテンツを選択するに際して、ポインティング手段で選択候補リストを指定するだけでプレビュー映像とメタデータを表示でき、優れた操作性もって映像コンテンツの選択を行うことができる。
【００１７】
同じく請求項８に記載の発明は、映像コンテンツ格納手段に格納された複数の映像コンテンツから所望の映像コンテンツを画像表示手段に表示するに際して、前記映像コンテンツ格納手段から指定した映像コンテンツを取得するステップと、前記映像コンテンツ格納手段に格納された映像コンテンツについてのメタデータを取得するステップと、取得した映像コンテンツのタイトル及び前記メタデータから選択した情報を含む識別情報が並べて表示された選択候補リストを前記画像表示手段に表示するするステップと、前記画像表示手段において前記選択候補リストにおいて表示される識別情報領域をマウスオーバー動作で指定するステップと、当該識別情報で特定される映像コンテンツのプレビュー映像を前記画像表示手段に表示するステップと、選択された映像コンテンツの前記メタデータを前記画像表示手段に表示するステップと、をコンピュータに実行させるためのコンピュータプログラムである。
本発明に係るコンピュータプログラムによれば、コンピュータにより映像コンテンツ格納手段から取得した多数の映像コンテンツ候補を表示した選択候補リストの識別情報表示領域をポインティング手段で指定するだけで、映像コンテンツのプレビュー映像と、メタデータ格納手段から取得した映像コンテンツのメタデータが表示される。このため、閲覧したい映像コンテンツを選択するに際して、ポインティング手段で選択候補リストを指定するだけでプレビュー映像とメタデータを表示でき、優れた操作性もって映像コンテンツの選択を行うことができる。
【発明の効果】
【００１８】
本発明に係る映像コンテンツ閲覧装置、映像コンテンツ閲覧方法、及びコンピュータプログラムによれば、プレビュー画面とメタデータを確認しつつ簡単な操作により目的とする映像コンテンツを閲覧することができる。
【図面の簡単な説明】
【００１９】
【図１】本発明の実施形態に係る映像コンテンツ閲覧システムを示すブロック図である。
【図２】本発明の実施形態に係る映像コンテンツ閲覧装置のハードウエア構成を示すブロック図である。
【図３】同映像コンテンツ閲覧装置の機能部の構成を示すブロック図である。
【図４】同映像コンテンツ閲覧システムの概略動作を示すフローチャートである。
【図５】同映像コンテンツ閲覧装置におけるキーワード検索による閲覧処理動作を示すフローチャートである。
【図６】同映像コンテンツ閲覧装置におけるキーワード検索による閲覧処理を行うときの表示画面を示す模式図である。
【図７】同映像コンテンツ閲覧装置における番組表による閲覧処理動作を示すフローチャートである。
【図８】同映像コンテンツ閲覧装置における番組表による閲覧処理を行うときの表示画面を示す模式図である。
【発明を実施するための最良の形態】
【００２０】
本発明を実施するための形態に係る映像コンテンツ閲覧装置、映像コンテンツ閲覧システム、映像コンテンツ閲覧方法、及びコンピュータプログラムについて説明する。
【００２１】
先ず、本発明の実施形態に係る映像コンテンツ閲覧システムについて説明する。図１は本発明の実施形態に係る映像コンテンツ閲覧システムを示すブロック図である。
【００２２】
本発明の実施形態に係る映像コンテンツ閲覧システム１００は、映像コンテンツ閲覧装置２００と、この映像コンテンツ閲覧装置２００に接続されたマウス３００と、画像表示手段であるテレビセット４００と、映像コンテンツ格納手段である映像コンテンツサーバ５００と、メタデータサーバ６００とを備える。なお、マウス３００は、ブルートゥース（Bluetooth  登録商標）等による無線接続、あるいはＵＳＢ（Universal
Serial Bus）コネクタ等を使用した有線接続により接続される汎用品を使用することができる。これにより、コストを抑えることができる。
【００２３】
映像コンテンツ閲覧装置２００は、コンピュータで構成されている。また、マウス３００はポインティング手段をなし、無線で映像コンテンツ閲覧装置２００に接続され、テレビセット４００の表示面上の座標を指定できる。この指定は、例えばクリック動作の他、テレビセット４００の表示画面の特定領域にカーソルを配置するだけのマウスオーバー動作によっても可能である。
【００２４】
映像コンテンツサーバ５００は、映像コンテンツ供給手段をなし、過去の所定期間にわたる各チャンネルでテレビ放送された番組コンテンツの映像データ及び音声データ（以下映像データ、音声データを含めて映像データという）、及び番組名、タイムスタンプ、例えば開始時刻、終了時刻等のタイトルデータが蓄積され、所望の映像データ及びタイトルデータを送出可能とされている。映像コンテンツサーバ５００は、映像コンテンツ閲覧装置２００にＬＡＮ（Local Area Network）、インターネットにより接続される。映像コンテンツサーバ５００は、映像コンテンツ閲覧装置２００の要求により、所定日時、時刻、チャンネルにおける映像及び音声からなる番組コンテンツを、タイトル、放送時刻等の情報と共に映像コンテンツ閲覧装置２００に供給する。なお、この映像コンテンツサーバ５００は映像コンテンツ閲覧装置２００と別体とすることの他、映像コンテンツ閲覧装置２００と一体とすることができる。
【００２５】
メタデータサーバ６００は、メタデータ供給手段をなし、各番組に関する各種の情報（メタデータ）を格納し供給する。メタデータサーバ６００は、インターネットにより映像コンテンツ閲覧装置２００に接続されている。メタデータサーバ６００は、メタデータの提供業者によって運営されている。ここで、メタデータは各番組について提供業者によって作成された情報であり、テレビ番組の放送日、曜日、局名、分類、番組内容の要約、ヘッドライン、番組開始時刻、番組終了時刻、出演者、コーナーの名称、ジャンル等の各種情報を含む。このようなメタデータは、映像コンテンツサーバ５００からは取得できない。
【００２６】
以上のような、構成に係る映像コンテンツ閲覧システム１００において、映像コンテンツ閲覧装置２００のユーザは、マウス３００を操作して、テレビセット４００に表示した選択候補リストから希望する番組コンテンツをマウス３００で選択してテレビセット４００に表示する他、映像コンテンツ閲覧装置２００において、所望の映像コンテンツを編集してＤＶＤ（登録商標）、Ｂｌｕ−ｒａｙ（登録商標：ブルーレイ）ディスク等のリムーバブル記録媒体に録画することができる。
【００２７】
次に映像コンテンツ閲覧装置２００について説明する。図２は本発明の実施形態に係る映像コンテンツ閲覧装置のハードウエア構成を示すブロック図である。上述のように映像コンテンツ閲覧装置２００はコンピュータとして構成される。映像コンテンツ閲覧装置２００は、主記憶装置として、ＣＰＵ(Central Processing Unit)２１０、ＲＡＭ（Random
Access Memory）２２０、ＲＯＭ（Read Only Memory）２３０を、補助記憶装置としてＨＤＤ（Hard Disc Drive）２４０を備える。また、映像コンテンツ閲覧装置２００は、マウス３００を接続する入力インターフェース２６０、テレビセット４００を接続するＨＤＭＩ（登録商標）（High-Definition Multimedia Interface  ）２７０を備える。更に、映像コンテンツ閲覧装置２００は、映像コンテンツサーバ５００を接続するＬＡＮアダプター２８０、メタデータサーバ６００を接続するインターネット通信制御装置２９０、マウス３００、キーボード３１０、ＤＶＤメディア３４０に記録を行う記録手段であるＤＶＤドライブ３３０を備える。
【００２８】
これらの各部は、バスライン３５０で接続されており、ＣＰＵ２１０がＲＡＭ２２０に格納された本発明の実施形態に係るコンピュータプログラムを、ＲＯＭ２３０を実行領域として実行することにより、以下に説明する機能部を実現し映像コンテンツ閲覧方法を実行する。
【００２９】
次に映像コンテンツ閲覧装置２００の機能構成について説明する。図３は同映像コンテンツ閲覧装置の機能部の構成を示すブロック図である。映像コンテンツ閲覧装置２００は、制御部７１０、映像コンテンツ取得手段７２０、メタデータ取得手段７３０、リスト表示手段７４０、プレビュー表示手段７５０、メタデータ表示手段７６０、編集手段７７０を備える。
制御部７１０は映像コンテンツ閲覧装置２００の全体を制御する。また、制御部７１０はキーワード検索処理等を行う。映像コンテンツ取得手段７２０は、映像コンテンツサーバ５００から所定の映像コンテンツを取得する。メタデータ取得手段７３０は、メタデータサーバ６００から所定のメタデータを取得する。リスト表示手段７４０は、映像コンテンツ取得手段７２０及びメタデータ取得手段７３０が取得した映像コンテンツのタイトル及びメタデータから選択した情報を含む識別情報を表示する識別情報表示領域を表示する選択候補リストを作成し、ＨＤＭＩ（登録商標）２７０を介してテレビセット４００に表示する。
【００３０】
プレビュー表示手段７５０は、テレビセット４００の表示面においてマウス３００が選択候補リスト中の識別情報表示領域を指定したとき、当該識別情報で特定される映像コンテンツのプレビュー映像をテレビセット４００にＨＤＭＩ（登録商標）２７０を介して表示する。
【００３１】
メタデータ表示手段７６０は、テレビセット４００の表示面においてマウス３００が選択候補リスト中の識別情報表示領域を指定したとき、当該識別情報で特定される映像コンテンツのメタデータを文字情報としてテレビセット４００にＨＤＭＩ（登録商標）２７０を介して表示する。
【００３２】
本実施形態では、マウス３００はクリック動作の他、識別情報表示領域の指定をマウス３００のカーソルを識別情報表示領域に配置するマウスオーバー動作で行うことができる。このため、リスト表示手段７４０は選択候補リスト中にマウスオーバー動作ができるマウスオーバー指定領域を生成する。
【００３３】
次に、本実施形態に係る映像コンテンツ閲覧システム１００の動作について説明する。図４は同映像コンテンツ閲覧システムの概略動作を示すフローチャートである。本例では、映像コンテンツ閲覧システム１００において、映像コンテンツサーバ５００は過去の一定期間にわたる指定された放送局が放送した番組コンテンツを映像コンテンツとして格納している（ステップＳ１）。また、メタデータサーバ６００には過去の一定期間にわたる指定された放送局が放送した番組コンテンツのメタデータが生成、蓄積されている（ステップＳ２）。
【００３４】
このような状態において、映像コンテンツ閲覧装置２００を使用して映像コンテンツサーバ５００が蓄積した映像コンテンツの閲覧を行う。映像コンテンツ閲覧装置２００を起動すると、メニュー画面が表示される（ステップＳ３）。このメニュー画面では、キーワードによる検索を行って選択候補リストを表示して映像コンテンツを選択するか、番組表を表示して映像コンテンツを選択するかが選べる（ステップＳ４）。映像コンテンツ閲覧装置２００にでは、この選択によりキーワード検索による閲覧処理（ステップＳ５）、又は番組表による閲覧処理（ステップＳ６）を行う。
【００３５】
次にキーワード検索による閲覧処理について説明する。図５は同映像コンテンツ閲覧装置におけるキーワード検索による閲覧処理動作を示すフローチャート、図６は同映像コンテンツ閲覧装置におけるキーワード検索による閲覧処理を行うときの表示画面を示す模式図である。
【００３６】
キーワード検索による閲覧処理では、先ず、テレビセット４００の画面においてキーワード指定を行う（ステップＳＡ１）。この指定は、テレビセット４００の画面に表示される検索窓にキーワードを入力することにより行う。キーワードはキーボード３１０やマウス３００で文字指定されるソフトキーボードで行うことができる。キーワードによる検索は、制御部７１０により実行される。キーワード検索の対象は、映像コンテンツサーバ５００が取得している番組コンテンツが格納している番組タイトル、出演者、開始日時、終了日時等の情報、及びメタデータサーバ６００が格納している各番組コンテンツの映像、音声、テロップについての要約文、その他書誌事項である。複数キーワードの論理積、論理和、除外キーワードを使用することができる。
【００３７】
制御部７１０によるキーワード抽出（ステップＳＡ２）の後、リスト表示手段７４０は選択候補リストを作成し、テレビセット４００に表示する。図６に示すようにテレビセット４００の表示画面８００には、選択候補リスト８１０が表示される。この選択候補リスト８１０は、録画編集の対象であるか否かを指定するチェック欄８１１、放送日、放送局名、開始時刻を表示する日時チャンネル欄８１２、番組名、番組コーナーのタイトル及び、内容の要約を表示する内容欄８１３を備える。なお、内容欄８１３には、当該映像コンテンツを編集して録画するための編集ボタン８１３ａ、当該映像コンテンツをテレビセット４００で再生する再生ボタン８１３ｂが表示される。
【００３８】
本実施形態では、マウスカーソル３０１を所定領域であるいずれかの内容欄８１３に配置（マウスオーバー）することにより、映像コンテンツの指定を行う（ステップＳＡ４）。これにより、映像コンテンツ取得手段７２０は映像コンテンツサーバ５００から所定の映像コンテンツを取得し、プレビュー表示手段７５０は、表示画面８００のプレビュー表示窓８２０に指定された映像コンテンツのプレビュー画像を表示する（ステップＳＡ５）。このプレビュー画像は映像コンテンツを縮小表示したものである。なお、このプレビュー画像は先頭画像とすることや、コマ送りや早送り等、必要に応じて変更できる。
【００３９】
これと同時に、表示画面８００には、メタデータ表示手段７６０により、メタデータ表示窓８３０にメタデータ表示がされる（ＳＡ６）。このメタデータ表示は、放送局名、放送時刻、本文からなる。なお、このメタデータ表示の内容は必要に応じて変更できる。
なお、表示画面８００には、番組表表示ボタン８５１、ＤＶＤ録画指定ボタン８５２、チェック欄８１１で指定した映像コンテンツを切り取る切取ボタン８５３、録画されている映像コンテンツの一覧を表示する録画一覧ボタン８４５が表示される。更に、表示画面８００には、メインメニューに遷移するためのメインメニューボタン８４０、選択候補リスト８１０を上下にスクロールするためのスクロールバー８５０が表示されている。
【００４０】
この状態で、再生ボタン８１３ｂ又は編集ボタン８１３ａをマウス３００でクリックする（ステップＳＡ７）。これにより、当該映像コンテンツの再生すること（ステップＳＡ８）、又は編集、録画を行う（ステップＳＡ９）。そして必要に応じてステップＳＡ４〜ステップＳＡ９までの処理を繰り返す（ステップＳＡ１０）。
【００４１】
なお、映像コンテンツの編集は、チェック欄８１１へのチェックの有無により行うことにより行うことができる。この編集は、番組の全体ではなく、選択候補リスト８１０の各欄、即ち番組の各コーナーを単位として行うことができる。このため、一連の番組コンテンツ中の不必要な部分を削除した見やすい映像コンテンツとして録画を行うことができる。
【００４２】
次に番組表を表示して映像コンテンツを選択する場合について説明する。図７は同映像コンテンツ閲覧装置における番組表による閲覧処理動作を示すフローチャート、図８は同映像コンテンツ閲覧装置における番組表による閲覧処理を行うときの表示画面を示す模式図である。
【００４３】
番組表による閲覧処理では、先ず、テレビセット４００の画面において年月日指定する（ステップＳＢ１）。この指定は、テレビセット４００の画面に表示される年月日の指定窓に数字を入力することにより行う。数字はキーボード３１０やマウス３００で文字指定されるソフトキーボードで行うことができる。これにより、映像コンテンツ取得手段７２０は、指定された年月日の番組表を映像コンテンツサーバ５００から取得し（ステップＳＢ２）、リスト表示手段７４０は番組表をテレビセット４００に表示する。
【００４４】
これにより、図８に示すようにテレビセット４００の表示画面９００には番組表９１０が表示される。番組表９１０は、各放送局別に各時間における番組コンテンツを表として表示している。また、番組表９１０の各番組表示欄には、開始時刻、番組タイトルの他、所定領域である視聴ボタン９１１、続き視聴ボタン９１２、ＤＶＤ録画ボタン９１３が表示される。視聴ボタン９１１にマウスカーソル３０１をオーバーマウス動作させることにより、プレビュー表示窓９２０が現れ、マウスカーソル３０１で指定したれ映像コンテンツのプレビュー映像が表示される。また、続き視聴ボタン９１２をクリックすると、当該映像コンテンツの再生がなされ、ＤＶＤ録画ボタン９１３をクリックすると当該映像コンテンツをＤＶＤに録画することができる。
【００４５】
また、表示画面９００には、番組表９１０で表示する時間帯を指定する時間帯指定タグ９３０、月日を指定する月日ボタン９４０が表示される。この時間帯指定タグ９３０及び月日ボタン９４０にマウスカーソル３０１を宛て、マウス３００をクリックすることで、所望の日時の番組表９１０を表示できる。更に、表示画面９００には、番組検索を行う番組検索ボタン９５１、Ｔコード入力を行うＴコードボタン９５２、時間を指定して再生を行う時間指定再生ボタン９５３、まるごと予約設定ボタン９５４、設定の一覧を表示する設定一覧ボタン９５５が表示される。また、表示画面９００には、番組表９１０を上下方向にスクロールするスクロールバー９６０が表示される。
【００４６】
本実施形態では、マウスカーソル３０１をいずれかの欄の視聴ボタン９１１に乗せる（マウスオーバー）ことにより、映像コンテンツの指定を行う（ステップＳＢ４）。これにより、映像コンテンツ取得手段７２０は映像コンテンツサーバ５００から所定の映像コンテンツを取得し、プレビュー表示手段７５０は、表示画面９００のプレビュー表示窓９２０に指定された映像コンテンツのプレビュー画像を表示する（ステップＳＢ５）。このプレビュー画像は映像コンテンツを縮小表示したものである。なお、このプレビュー画像は先頭画像とすることや、コマ送りや早送り等、必要に応じて変更できる。
【００４７】
この状態で、続き視聴ボタン９１２、又はＤＶＤ録画ボタン９１３をマウス３００でクリックする（ステップＳＢ６）。これにより、当該映像コンテンツの再生すること（ステップＳＢ７）、又は編集、録画を行うことができる（ステップＳＢ８）。
【００４８】
なお、この番組表９１０を表示した表示画面９００には、メタデータを表示していないが、上述したキーワード検索による閲覧と同様にメタデータ表示窓を表示してメタデータを表示することができる。
【００４９】
以上のように本実施形態に係る映像コンテンツ閲覧システム１００によれば、マウスオーバー操作という簡単な操作で、視聴したい映像コンテンツを閲覧できる。このとき、メタデータを表示することができるので、映像コンテンツの内容を正確に把握でき、より的確な映像コンテンツの閲覧を行うことができる。
【００５０】
なお、上記実施形態に係る映像コンテンツ閲覧システム１００では、映像コンテンツ閲覧装置２００と映像コンテンツサーバ５００とを別体として説明したが、これらを一体としてＤＶＤ、ブルーレイのメディアに録画が可能なハードディスクレコーダーとして構成できる。この場合には、ハードディスクレコーダーには複数のテレビチューナー、録画用のハードディスクを備える。
【００５１】
また、上記実施形態では、映像コンテンツサーバ５００には、テレビ放映された番組コンテンツを蓄積するものとしたが、映像コンテンツサーバ５００には番組コンテンツに限らず、インターネット上で配信されている映像コンテンツ、自作の映像コンテンツ等その他の映像コンテンツを格納し、映像コンテンツ閲覧装置２００で閲覧できる。
【産業上の利用可能性】
【００５２】
本発明に係る映像コンテンツ閲覧装置、映像コンテンツ閲覧システム、映像コンテンツ閲覧方法、及びコンピュータプログラムは、プレビュー画面とメタデータを確認しつつ簡単な操作により目的とする映像コンテンツを閲覧することができ、家電産業、映像コンテンツ配信産業で利用が可能である。
【符号の説明】
【００５３】
１００:映像コンテンツ閲覧システム
２００:映像コンテンツ閲覧装置
３００:マウス
３０１:マウスカーソル
３１０:キーボード
３３０:ＤＶＤドライブ
３４０:ＤＶＤメディア
３５０:バスライン
４００:テレビセット
５００:映像コンテンツサーバ
６００:メタデータサーバ
７１０:制御部
７２０:映像コンテンツ取得手段
７３０:メタデータ取得手段
７４０:リスト表示手段
７５０:プレビュー表示手段
７６０:メタデータ表示手段
７７０:編集手段
８００:表示画面
８１０:選択候補リスト
８２０:プレビュー表示窓
８３０:メタデータ表示窓
８４０:メインメニューボタン
８４５:録画一覧ボタン
８５０:スクロールバー
８５１:表示ボタン
８５２:ＤＶＤ録画指定ボタン
８５３:切取ボタン
９００:表示画面
９１０：番組表
９２０:プレビュー表示窓
【図１】
2016220177.tif 000003
【図２】
2016220177.tif 000004
【図３】
2016220177.tif 000005
【図４】
2016220177.tif 000006
【図５】
2016220177.tif 000007
【図６】
2016220177.tif 000008
【図７】
2016220177.tif 000009
【図８】
2016220177.tif 000010